(57)【要約】      （修正有）【課題】表裏面のフィルムの開口端の間で確実に段差を形成することができ、印刷デザインの制約が少ない包装袋を提供することを目的とする。【解決手段】左右シール部４、５に形成された開封開始部９と、表フィルムに形成された第一開封誘導線及び裏フィルム２に形成された第二開封誘導線１１とを備え、第一開封誘導線は、第一上側誘導線１０ａ及び第一下側誘導線１０ｂを有し、第二開封誘導線１１は、第一下側誘導線１０ｂより下方に直線状に形成され、裏フィルム２の左右両端部において、第二開封誘導線１１の上側に、複数の第一開封補助線１２を備えた開封補助領域１３が形成され、開封補助領域１３を構成する複数の第一開封補助線１２は、仮想線Ａに対して開封補助領域１３に近い側の開封開始部９から他側の開封開始部９に向けて第二開封誘導線１１に近づく方向に傾斜する傾斜線である構成とする。【選択図】図３
2020023332.tif 000002
【特許請求の範囲】
【請求項１】
表フィルムおよび裏フィルムからなる袋本体の周縁をシールしてなる包装袋であって、前記袋本体の周縁に形成されたシール部のうち袋本体の左右両側端のシール部にそれぞれ形成された開封開始部と、前記表フィルムにおいて、前記左右両測端のシール部にわたって形成された第一開封誘導線と、前記裏フィルムにおいて、前記左右両測端のシール部にわたって形成された第二開封誘導線とを備え、前記第一開封誘導線は、前記左右の開封開始部を結ぶ仮想線の上下で前記仮想線に平行して形成された第一上側誘導線及び第一下側誘導線を有し、前記第二開封誘導線は、袋本体上下方向において前記第一下側誘導線より下方に直線状に形成され、前記裏フィルムの左右両端部において、前記第二開封誘導線の上側に、少なくとも前記第一上側誘導線及び第一下側誘導線と交差する複数の第一開封補助線を備えた開封補助領域が形成され、前記開封補助領域を構成する複数の第一開封補助線は、前記仮想線に対して前記開封補助領域に近い側の開封開始部から他側の開封開始部に向けて前記第二開封誘導線に近づく方向に傾斜する傾斜線であることを特徴とする包装袋。
【請求項２】
前記開封補助領域は、さらに、前記開封補助領域に近い側の開封開始部から他側の開封開始部に向けて前記第二開封誘導線から遠ざかる方向に傾斜する複数の第二開封補助線を備え、前記第一開封補助線及び第二開封補助線が網目状に交差するように配されたことを特徴とする請求項１に包装袋。
【請求項３】
前記第二開封誘導線は、さらに、袋本体上下方向において、前記第一上側誘導線より上方で、かつ、前記第一上側誘導線に平行して形成された直線を備え、前記開封補助領域は、前記第二開封誘導線を構成する一対の直線の間に形成されたことを特徴とする請求項２に記載の包装袋。
【発明の詳細な説明】
【技術分野】
【０００１】
本発明は、密封された袋本体を開封するための開封開始部及び開封誘導線が設けられた包装袋に関する。
【背景技術】
【０００２】
従来、表フィルム及び裏フィルムからなる袋本体の左右両測端のシール部に切欠部などの開封開始部を設け、表裏面のフィルムのそれぞれにおいて、左右の開封開始部間にわたって開封誘導線として直線状のハーフカット線を形成した包装袋が知られている。上記構成の包装袋においては、開封開始部をきっかけにして開封誘導線に沿って包装袋を容易に開封することができる。
【０００３】
しかしながら表フィルム及び裏フィルムの開口端部をそれぞれ手で摘んで開口を広げようとした場合、両方のフィルムの切断面が袋本体上下方向で同じ位置であると、なかなか開口端部を手で摘みにくいという問題があった。特に、開口の下方位置にファスナー等の再封止部が形成された包装袋においては、両フィルムの開口端部間の隙間がほとんどない状態となるため、開口端部がより摘みにくくなっていた。
【０００４】
上記問題を解決する包装袋として、たとえば、特許文献１には、易開封手段として、左右サイドシール部外縁に設けた易開封加工部と、表面積層体に設けた上に凸の形状を有する表面ハーフカット線ａと、表面積層体に設けた下に凸の形状を有する表面ハーフカット線ｂと、裏面積層体に設けた直線状の裏面ハーフカット線と備えた包装袋が開示されている。
【０００５】
上記構成においては、表面積層体に２本のハーフカット線が形成されており、表面積層体における切断経路は、２本のハーフカット線のうちいずれかに沿った軌跡を描き、裏面積層体における切断経路は直線状のハーフカット線に沿った軌跡を描くことで、表裏面のフィルムの開口端の間で袋本体の上下方向に段差が生じ、各フィルムの開口端部を容易に手で摘むことができるというものである。
【先行技術文献】
【特許文献】
【０００６】
【特許文献１】特開２０１４−５１３１０号公報
【発明の概要】
【発明が解決しようとする課題】
【０００７】
上記構成の包装袋では、易開封加工部に対して裏面ハーフカット線が左右方向に直線状に接続されているため、通常は、易開封加工部から裏面ハーフカット線に沿って開封されることになる。しかしながら、包装袋開封時において、左右サイドシール部よりも包装袋の内側では、包装袋を引裂く力の向きをうまくコントロールするのは難しく、積層体の樹脂フィルムの樹脂配向方向、ハーフカット線の深さ、包装袋の引裂き動作等の諸要因によっては、切断迷路が裏面ハーフカット線から逸脱し、所期の段差が形成されなくなる可能性が生じていた。
【０００８】
また、包装袋の表裏面には印刷層が形成されるが、ハーフカット線が形成される部分は印刷層が削り取られることになる。したがって、上記構成のように、表面積層体のハーフカット線が、上に凸の形状及び下に凸の形状の非直線形状の２本であると、印刷層のデザインが損なわれる範囲が広くなる。したがって、印刷デザイン面での制約が大きくなるという問題があった。
【０００９】
そこで、本発明においては、表裏面のフィルムの開口端の間でより確実に段差を形成することができ、開封後に袋の開口を手で広げる操作性（開口操作性）に優れるとともに、印刷デザインの制約が少ない包装袋を提供することを目的とする。
【課題を解決するための手段】
【００１０】
上記課題を解決するために、本発明の一態様としての包装袋は、表フィルムおよび裏フィルムからなる袋本体の周縁をシールしてなり、前記袋本体の周縁に形成されたシール部のうち袋本体の左右両側端のシール部にそれぞれ形成された開封開始部と、前記表フィルムにおいて、前記左右両測端のシール部にわたって形成された第一開封誘導線と、前記裏フィルムにおいて、前記左右両測端のシール部にわたって形成された第二開封誘導線とを備え、前記第一開封誘導線は、前記左右の開封開始部を結ぶ仮想線の上下で前記仮想線に平行して形成された第一上側誘導線及び第一下側誘導線を有し、前記第二開封誘導線は、袋本体上下方向において前記第一下側誘導線より下方に直線状に形成され、前記裏フィルムの左右両端部において、前記第二開封誘導線の上側に、少なくとも前記第一上側誘導線及び第一下側誘導線と交差する複数の第一開封補助線を備えた開封補助領域が形成され、前記開封補助領域を構成する複数の第一開封補助線は、前記仮想線に対して前記開封補助領域に近い側の開封開始部から他側の開封開始部に向けて前記第二開封誘導線に近づく方向に傾斜する傾斜線であることを特徴とする。
【００１１】
前記開封補助領域は、さらに、前記開封補助領域に近い側の開封開始部から他側の開封開始部に向けて前記第二開封誘導線から遠ざかる方向に傾斜する複数の第二開封補助線を備え、前記第一開封補助線及び第二開封補助線が網目状に交差するように配された構成としてもよい。
【００１２】
また、前記第二開封誘導線は、さらに、袋本体上下方向において、前記第一上側誘導線より上方で、かつ、前記第一上側誘導線に平行して形成された直線を備え、前記開封補助領域は、前記第二開封誘導線を構成する一対の直線の間に形成された構成としてもよい。
【発明の効果】
【００１３】
上記態様によれば、表フィルムにおいて、袋本体の左右の開封開始部を結ぶ仮想線の上下で仮想線に平行して２本（第一上側誘導線及び第一下側誘導線）の第一開封誘導線を設け、裏フィルムにおいて、第二開封誘導線を第一下側誘導線より下方に直線状に設けるとともに、裏フィルムの左右両端部において、近接する開封開始部を始点とする開封経路を第二開封誘導線に導く開封補助領域を設けたため、表裏フィルムの切断面の間で上下方向に段差を確実に形成することが可能となり、開口操作性に優れた包装袋を得ることができる。さらに、第一開封誘導線及び第二開封誘導線は直線状に形成されるため、印刷デザインの制約を小さくすることが可能となる。
【図面の簡単な説明】
【００１４】
【図１】本発明の第１実施形態の包装袋を示す正面模式図
【図２】本発明の第１実施形態の包装袋を示す背面模式図
【図３】図２において第一開封誘導線を破線で重ねて表した図
【図４】本発明の第２実施形態の包装袋を示す図であって、図３の開封補助領域を別の形態とした図
【図５】本発明の第３実施形態の包装袋を示す図であって、図４の第二開封誘導線を別の形態とした図
【発明を実施するための形態】
【００１５】
［第１実施形態］
以下、本発明の第１実施形態について図面をもとに説明する。図１は本実施形態における包装袋を示す正面模式図を、図２は包装袋の背面模式図を、図３は図２において第一開封誘導線を破線で重ねて表した図を、それぞれ示す。なお、図１において、矢印Ｘは包装袋の左右方向を示し、矢印Ｙは包装袋の上下方向を示す。なお、包装袋の表裏、左右方向Ｘ及び上下方向Ｙは、包装袋における各部の相対的位置関係を明らかにするためのものであり、使用時における方向とは必ずしも一致しない。
【００１６】
図１〜図３に示すように、本実施形態の包装袋は矩形状であり、表フィルム１と、裏フィルム２とを互いに対向させて重ね合せた状態で周縁をシールしてなる。これにより、表裏フィルム１、２からなる袋本体３の左右両端に右シール部４及び左シール部５が形成され、袋本体３の上下両端に上シール部６及び下シール部７が形成される。なお、袋本体３は、表裏２枚のフィルムを互いに対向させて重ね合わせた状態で周縁をシールした構成でもよいし、１枚のフィルムを折り返して周縁をシールした構成でもよい。
【００１７】
包装袋に用いられる表フィルム１及び裏フィルム２は、少なくとも熱融着可能な樹脂層を備えたものであることが好ましい。これにより、接着剤を用いることなく、シール部４〜７を熱融着により形成することが可能となる。なお、フィルムの構成は、被収容物の性質によって適宜選択することができる。本実施形態では、袋の外側から基材層、ガスバリア層及びシーラント層が順次積層された積層フィルムが使用される。
【００１８】
基材層としては、ポリエチレンテレフタレートフィルム、ポリプロピレンフィルム、ポリアミドフィルム等を使用することができる。ガスバリア層としては、基材層の表面にアルミニウム等の金属蒸着層を形成したものを使用することができるほか、基材層の表面にアルミニウム箔等の金属箔層を接着積層したものを用いたり、ガスバリア性を有する樹脂フィルムを用いることができる。シーラント層としては、ポリエチレン等のポリオレフィン樹脂を好適に用いることができる。
【００１９】
袋本体３の上部には、左右シール部４、５にわたって再封止部８が形成される。再封止部８は、表フィルム１および裏フィルム２のいずれか一方に形成された帯状の突起部と、他方に形成された帯状の溝部とを備えたファスナーで構成されるが、これに限らず、開封及び密封が可能な公知の構造、たとえば、粘着シール等を適宜用いることができる。
【００２０】
再封止部８と、上シール部６との間には、開封開始部９、第一開封誘導線１０及び第二開封誘導線１１が形成される。これにより、開封開始部９及び開封誘導線１０、１１に沿って包装袋を袋本体の上端部で開封することが可能となる。開封後の包装袋は、再封止部８によって再封止、再開封が可能となる。
【００２１】
開封開始部９は、包装袋の開封の起点となる部分であり、本実施形態では直線状の切込部が形成されているが、これに限らず、Ｕ字型の切欠部や、Ｖ字型の切欠部や、シール部を貫通する傷痕群等を採用することができる。開封開始部９は、左右方向に沿うように左右シール部４、５外縁から内縁に至る途中まで形成される。
【００２２】
第一開封誘導線１０は、表フィルム１において、左右シール部４、５間にわたって形成される。第二開封誘導線１１は、裏フィルム２において、左右シール部４、５間にわたって形成される。第一開封誘導線１０は、左右の開封開始部９，９を結ぶ仮想線Ａの上下で仮想線Ａに平行して間隔をおいて形成された第一上側誘導線１０ａおよび第一下側誘導線１０ｂを有する。第二開封誘導線１１は、袋本体３の上下方向Ｙにおいて第一下側誘導線１０ｂより下方に直線状に形成される。
【００２３】
裏フィルム２の左右両端部において、第二開封誘導線１１の上側に、少なくとも第一上側誘導線１０ａ及び第一下側誘導線１０ｂと交差する複数の第一開封補助線１２を備えた開封補助領域１３が形成される。開封補助領域１３を構成する複数の第一開封補助線１２は、仮想線Ａに対して開封補助領域１３に近い側の開封開始部９から他側の開封開始部９に向けて第二開封誘導線１１に近づく方向に傾斜する傾斜線とされる。なお、本実施形態では、開封補助領域１３、１３は、裏フィルム２の左右両端部において、左右シール部４、５より左右方向Ｘ内側で、左右シール部４、５に隣接するように形成されているが、左右シール部４、５にかかるように形成してもよい。
【００２４】
第一開封誘導線１０、第二開封誘導線１１及び第一開封補助線１２は、フィルム表面から一定深さ（非貫通）の溝として形成される（いわゆるハーフカット線）。これにより、第一開封誘導線１０、第二開封誘導線１１及び第一開封補助線１２が形成された部分は他のフィルム部分に比べてフィルム強度が低下するため、開封開始部９を起点として第一開封誘導線１０、第二開封誘導線１１及び第一開封補助線１２に沿って包装袋を開封することができる。第一開封誘導線１０、第二開封誘導線１１及び第一開封補助線１２はレーザ加工によって形成することができるほか、トムソン刃等の機械的手段によって形成することも可能である。
【００２５】
開封時における包装袋の切断経路は、左右シール部４及び５においては比較的仮想線Ａに沿って形成されやすい。従って、第一開封誘導線１０を構成する第一上側誘導線１０ａ及び第一下側誘導線１０ｂ、並びに、第二開封誘導線１１は、左右両端が少なくとも左右シール部４及び５に達するように形成すればよい。本実施形態では、第一上側誘導線１０ａ、第一下側誘導線１０ｂ及び第二開封誘導線１１は、図１及び図２に示すように、左右シール部４及び５の外側端まで形成されている。
【００２６】
上記構成によれば、開封開始部９を起点とする切断経路は、第一上側誘導線１０ａ及び第一下側誘導線１０ｂに囲まれることになる。従って、表フィルム１では、左右シール部４及び５よりも左右方向Ｘの内側において、包装袋を引裂く力が仮想線Ａから上下いずれかの方向に傾いて加わった場合、切断経路は、第一上側誘導線１０ａ及び第一下側誘導線１０ｂのいずれかに近づいて、最終的にはその近づいた開封誘導線に沿って形成される。
【００２７】
一方、裏フィルム２では、左右シール部４及び５よりも左右方向Ｘの内側において、切断経路は開封補助領域１３を通過する間に第一開封補助線１２に沿って第二開封誘導線１１へと誘導される。切断経路は、第二開封誘導線１１に達した後、第二開封誘導線１１に沿って形成される。
【００２８】
上述したように、表フィルム１においては、第一上側誘導線１０ａ及び第一下側誘導線１０ｂで囲まれた帯状領域内に切断経路の軌跡を収めつつ、容易に開封することが可能となり、裏フィルム２においては、切断経路を前記帯状領域よりも下方に位置する第二開封誘導線１１に沿って形成することが可能となる。これにより、表裏フィルム１、２の開口端の間において、袋本体の上下方向に段差を形成することができ、開口操作性に優れた包装袋を得ることができる。
【００２９】
また、図３に示すように、第一開封誘導線１０及び第二開封誘導線１１は、仮想線Ａの近傍に直線状に形成され、開封補助領域１３、１３は、袋本体３の左右両端部に左右シール部４、５に隣接して形成されるため、印刷層のデザインを損なう範囲が限定的であり、印刷デザインの制約が少ない包装袋を得ることが可能となる。
【００３０】
［第２実施形態］
本実施形態では、開封補助領域１３は、第一開封補助線１２に加えて、さらに、第二開封補助線１４を備えた点が特徴とされ、その他の構成は第１実施形態と同じとされる。図４は、本実施形態における包装袋を示す図であって、図３の開封補助領域を別の形態に変更した図である。
【００３１】
図４に示すように、開封補助領域１３は、第一開封補助線１２に加えて、さらに、開封補助領域１３に近い側の開封開始部９から他側の開封開始部９に向けて第二開封誘導線１１から遠ざかる方向に傾斜する複数の第二開封補助線１４を備え、第一開封補助線１２及び第二開封補助線１４が網目状に交差するように配されている。
【００３２】
上記構成によれば、裏フィルム２では、左右シール部４及び５よりも左右方向Ｘの内側において、切断経路は開封補助領域１３を通過する間に、第一開封補助線１２に沿って第二開封誘導線１１へと誘導されるか、あるいは、第二開封補助線１４に沿って上向きに傾斜するように形成される。切断経路が第二開封補助線１４に沿って上向きに傾斜して形成される場合、上シール部６に達した後は、上シール部６に沿って形成される。
【００３３】
このようにして、本実施形態では、表フィルム１においては、第一上側誘導線１０ａ及び第一下側誘導線１０ｂで囲まれた帯状の領域内に切断経路の軌跡を収めつつ、容易に開封することが可能となり、裏フィルム２においては、切断経路を第二開封誘導線１１又は上シール部６の内端に沿って形成することが可能となる。これにより、表裏フィルム１、２の開口端の間において、袋本体３の上下方向Ｙに段差を形成することができ、開口操作性に優れた包装袋を得ることができる。
【００３４】
［第３実施形態］
本実施形態では、第二開封誘導線として、第２実施形態において第一下側誘導線１０ｂより下方に形成された直線１１に加えて、第一上側誘導線１０ａより上方に形成された直線１５を備えた点が特徴とされ、その他の構成は第２実施形態と同じとされる。図５は、本実施形態における包装袋を示す図であって、図４の第二開封誘導線を別の形態に変更した図である。
【００３５】
図５に示すように、本実施形態では、第二開封誘導線として、裏フィルム２において、上下方向Ｙでみて第一下側誘導線１０ｂよりも下方に形成された直線１１に加えて、さらに、上下方向Ｙでみて第一上側誘導線１０ａより上方で、かつ、第一上側誘導線１０ａに平行して形成された直線１５を備えている。
【００３６】
上述のごとく、本実施形態では第二開封誘導線として、一対の直線１１及び１５を備える。なお、本実施形態では、以下、直線１１を第二下側誘導線と、直線１５を第二上側誘導線と称する。開封補助領域１３は、一対の第二開封誘導線の間、すなわち、第二上側誘導線１５と第二下側誘導線１１との間に形成される。
【００３７】
上記構成によれば、裏フィルム２では、左右シール部４及び５よりも左右方向Ｘ内側において、切断経路は開封補助領域１３を通過する間に、第一開封補助線１２に沿って第二下側誘導線１１へと誘導されるか、あるいは、第二開封補助線１４に沿って第二上側誘導線１５へと誘導される。
【００３８】
このようにして、本実施形態では、表フィルム１においては、第一上側誘導線１０ａ及び第一下側誘導線１０ｂで囲まれた帯状領域内に切断経路の軌跡を収めつつ、容易に開封することが可能となり、裏フィルム２においては、切断経路を前記帯状領域よりも下方に位置する第二下側誘導線１１又前記帯状領域よりも上方に位置するは第二上側誘導線１５に沿って形成することが可能となる。これにより、表裏フィルム１、２の開口端の間において、袋本体３の上下方向Ｙに段差を形成することができ、開口操作性に優れた包装袋を得ることができる。
【００３９】
以上、本発明の実施形態につき説明したが、本発明の範囲はこれに限定されるものではなく、発明の趣旨を逸脱しない範囲で種々の変更を加えて実施することができる。たとえば、上記実施形態では、開封開始部９として直線状の切込部が形成されているが、これに限らず、Ｕ字型やＶ字型の切欠部とすることができる。この場合、切欠部は、少なくとも切欠部の先端部が第一上側誘導線１０ａおよび第一下側誘導線１０ｂの間に位置するように形成すればよい。
【符号の説明】
【００４０】
１              表フィルム
２              裏フィルム
３              袋本体
４              右シール部
５              左シール部
６              上シール部
７              下シール部
８              再封止部
９              開封開始部
１０              第一開封誘導線
１０ａ            第一上側誘導線
１０ｂ            第一下側誘導線
１１              第二開封誘導線（第二下側誘導線）
１２              第一開封補助線
１３              開封補助領域
１４              第二開封補助線
１５              第二上側誘導線
【図１】
2020023332.tif 000003
【図２】
2020023332.tif 000004
【図３】
2020023332.tif 000005
【図４】
2020023332.tif 000006
【図５】
2020023332.tif 000007